(57)【要約】【課題】既設縦枠に新設縦枠を取り付けるための縦枠ベース材を、容易に取り付けることができる改装サッシを提供すること。【解決手段】建物の開口部２に設けられた既設縦枠３１０、４１０と、既設縦枠３１０、４１０の内周側に取り付けられる縦枠ベース材３３０、４３０と、既設縦枠３１０、４１０の内周側を覆うように縦枠ベース材３３０、４３０に取り付けられる新設縦枠３２０、４２０と、を備える改装サッシ１であって、縦枠ベース材３３０、４３０は、新設縦枠３２０、４２０の取付け面となるベース材本体３３１、４３１と、既設縦枠３１０、４１０とベース材本体３３１、４３１とに亘って取り付けられる取付け部材３５０、４５０と、取付け部材３５０、４５０に対して既設縦枠３１０、４１０に接離する方向に移動可能に係合し、既設縦枠３１０、４１０よりも屋内側の建物の躯体３３、４３に固定される可動プレート３６０、４６０と、を有する。【選択図】図６
2019152004.tif 000002
【特許請求の範囲】
【請求項１】
建物の開口部に設けられた既設縦枠と、前記既設縦枠の内周側に取り付けられる縦枠ベース材と、前記既設縦枠の内周側を覆うように前記縦枠ベース材に取り付けられる新設縦枠と、を備える改装サッシであって、
前記縦枠ベース材は、前記新設縦枠の取付け面となるベース材本体と、前記既設縦枠と前記ベース材本体とに亘って取り付けられる取付け部材と、前記取付け部材に対して前記既設縦枠に接離する方向に移動可能に係合し、前記既設縦枠よりも屋内側の前記建物の躯体に固定される可動プレートと、を有する、改装サッシ。
【請求項２】
前記可動プレートは、前記取付け部材を屋内外方向から挟持する一対の挟持片を有し、前記挟持片によって前記取付け部材を挟持することにより、前記取付け部材を屋内外方向に移動不能に固定する、請求項１に記載の改装サッシ。
【発明の詳細な説明】
【技術分野】
【０００１】
本発明は、建物に設けられている既設窓を改装するための改装サッシに関する。
【背景技術】
【０００２】
従来、既設の窓を改装する方法として、カバー工法が採用されている。このカバー工法によって改装された改装サッシでは、建物の開口部に取り付けられた既設枠に対して、その内周側を覆うように新設枠が取り付けられる（例えば、特許文献１参照）。
【０００３】
ところで、改装サッシには、既設枠の内周側に、新設枠の取付け面を形成するベース材が取り付けられるものがある。ベース材は、既設上枠、既設下枠及び既設縦枠の内周側にそれぞれ取り付けられる。ベース材は、新設枠を安定して取り付けることができるようにするため、既設枠に対して強固に取り付けられる必要がある。
【０００４】
ここで、図１１に示すように、既設縦枠５００に取り付けられる縦枠ベース材６００は、既設縦枠５００の内周面５００ａと縦枠ベース材６００のベース材本体５０１とに亘って、取付け部材７００によって取り付けられる。縦枠ベース材６００の屋内側の端部６００ａは、スペーサ８００を挟んで、柱材等の建物の躯体９００に取付けねじ６０２によって固定される。
【先行技術文献】
【特許文献】
【０００５】
【特許文献１】特開２０１６−９４７７１号公報
【発明の概要】
【発明が解決しようとする課題】
【０００６】
しかしながら、既設縦枠が取り付けられる柱材等の建物の躯体と縦枠ベース材との離間距離は、既設枠の寸法や納まり等によって様々である。このため、従来の改装サッシでは、既設縦枠が取り付けられる柱材等の建物の躯体と縦枠ベース材との離間距離に応じて、スペーサの枚数や厚み等を調整しなくてはならず、離間距離を測定する手間、スペーサを調整する手間が必要となり、改装サッシの施工が煩雑になるという問題があった。
【０００７】
そこで、本発明は、既設縦枠が取り付けられる柱材等の建物の躯体と縦枠ベース材との離間距離に関わらず、縦枠ベース材を既設縦枠に容易に取り付けることができる改装サッシを提供することを目的とする。
【課題を解決するための手段】
【０００８】
（１）  本発明に係る改装サッシは、建物の開口部（例えば、後述の開口部２）に設けられた既設縦枠（例えば、後述の既設縦枠３１０、４１０）の内周側に取り付けられる縦枠ベース材（例えば、後述の縦枠ベース材３３０、４３０）と、前記既設縦枠の内周側を覆うように前記縦枠ベース材に取り付けられる新設縦枠（例えば、後述の新設縦枠３２０、４２０）と、を備える改装サッシ（例えば、後述の改装サッシ１）であって、前記縦枠ベース材は、前記新設縦枠の取付け面となるベース材本体（例えば、後述のベース材本体３３１、４３１）と、前記既設縦枠と前記ベース材本体とに亘って取り付けられる取付け部材（例えば、後述の取付け部材３５０、４５０）と、前記取付け部材に対して前記既設縦枠に接離する方向に移動可能に係合し、前記既設縦枠よりも屋内側の前記建物の躯体（例えば、後述の柱材３３、３４）に固定される可動プレート（例えば、後述の可動プレート３６０、４６０）と、を有する。
【０００９】
（２）  （１）に記載の改装サッシにおいて、前記可動プレートは、前記取付け部材を屋内外方向から挟持する一対の挟持片（例えば、後述の挟持片３６２、４６２）を有し、前記挟持片によって前記取付け部材を挟持することにより、前記取付け部材を屋内外方向に移動不能に固定するものであることが好ましい。
【発明の効果】
【００１０】
本発明によれば、既設縦枠が取り付けられる柱材等の建物の躯体と縦枠ベース材との離間距離に関わらず、縦枠ベース材を既設縦枠に容易に取り付けることができる改装サッシを提供することができる。
【図面の簡単な説明】
【００１１】
【図１】本発明の一実施形態に係る改装サッシを屋外側から見た正面図である。
【図２】図１に示す改装サッシの縦断面図である。
【図３】図１に示す改装サッシの横断面図である。
【図４】図２に示す改装サッシの上枠部分の拡大縦断面図である。
【図５】図２に示す改装サッシの下枠部分の拡大縦断面図である。
【図６】図３に示す改装サッシの一方の縦枠部分の拡大横断面図である。
【図７】図３に示す改装サッシの他方の縦枠部分の拡大横断面図である。
【図８】一方の縦枠の既設縦枠に縦枠ベース材を取り付けた状態を示す拡大平面図である。
【図９】図８中のＡ−Ａ線に沿う断面図である。
【図１０】可動プレートの平面図である。
【図１１】従来の既設縦枠と縦枠ベース材との取付け構造を説明する図である。
【発明を実施するための形態】
【００１２】
以下、本発明の一実施形態について、図面を参照して詳しく説明する。
図１は、本発明の一実施形態に係る改装サッシを屋外側から見た正面図である。図２は、図１に示す改装サッシの縦断面図であり、図３は、図１に示す改装サッシの横断面図である。図４は、図２に示す改装サッシの上枠部分の拡大縦断面図であり、図５は、図２に示す改装サッシの下枠部分の拡大縦断面図である。図６は、図３に示す改装サッシの一方の縦枠部分の拡大横断面図であり、図７は、図３に示す改装サッシの他方の縦枠部分の拡大横断面図である。
【００１３】
図１〜図３に示すように、本実施形態に示す改装サッシ１は、建物の開口部２に納められる引違い窓タイプの改装サッシである。改装サッシ１は、上枠１００と、下枠２００と、左右一対の縦枠３００、４００により矩形に枠組みされた窓枠１０と、この窓枠１０にスライド可能に納められる引違い用の２枚の障子２０、２０と、障子２０、２０の屋外側において、窓枠１０にスライド可能に納められる１枚の網戸３０と、を備える。建物の開口部２の内周面には四周に亘って額縁部材３が設けられている。本実施形態に示す窓枠１０は、開口部２の屋外側に取り付けられる外付けタイプの窓枠である。
【００１４】
なお、本実施形態では、上枠１００側の額縁部材３は既設窓の鴨居３１により構成される。下枠２００側の額縁部材３は既設窓の敷居３２により構成される。鴨居３１及び敷居３２の溝部は、予め木材等によって埋められている。縦枠３００、４００側の額縁部材３は、それぞれ既設窓の縦側に配置されて建物の躯体を構成する柱材３３、３４により構成される。
【００１５】
各障子２０は、図４、図５に示すように、屋外側及び屋内側に配置される２枚のガラス２１、２１と、これら２枚のガラス２１、２１で挟持されたスペーサ２２と、を備える複層ガラスからなり、優れた断熱性を有する。
【００１６】
図２、図４に示すように、上枠１００は、既設上枠１１０と、新設上枠１２０と、上枠ベース材１３０と、を含んで構成される。
【００１７】
既設上枠１１０は、建物の開口部２の上側部に取り付けられ、下方に向けて立設される既設障子用のガイドレール１１１ａ、１１１ｂと、ガイドレール１１１ａ、１１１ｂよりも屋外側の端部に、下方に向けて延びる屋外側壁部１１２と、を有する。既設上枠１１０の屋内側は額縁部材３に固定されている。
【００１８】
新設上枠１２０は、上枠ベース材１３０を間に挟んで、既設上枠１１０の内周側に取り付けられる。図４に示すように、新設上枠１２０は、下方に向けて立設される引違いの２枚の障子２０、２０用のガイドレール１２１ａ、１２１ｂと、網戸３０用のガイドレール１２１ｃとを有する。ガイドレール１２１ａ、１２１ｂには、障子２０の上端部が係合している。ガイドレール１２１ｃには、網戸３０の上端部が係合している。
【００１９】
新設上枠１２０は、屋外側の端部に、上方に向けて延びる屋外側壁部１２２を有する。屋外側壁部１２２は、既設上枠１１０の屋外側壁部１１２と略平行に延びており、屋外側壁部１１２の屋外側を覆い隠すように配置されている。
【００２０】
新設上枠１２０は、上枠ベース材１３０との間にスペーサ部材１４０を介して、取付けねじ１２３ａ、１２３ｂによって上枠ベース材１３０に固定される。屋外側に配置される取付けねじ１２３ａは、新設上枠１２０からスペーサ部材１４０及び上枠ベース材１３０を貫通しているが、既設上枠１１０は貫通していない。屋内側に配置される取付けねじ１２３ｂは、新設上枠１２０からスペーサ部材１４０及び上枠ベース材１３０を貫通し、額縁部材３の内周面３ａにねじ込まれている。
【００２１】
上枠ベース材１３０は、既設上枠１１０の内周側に配置され、既設上枠１１０と新設上枠１２０との間に介在される。上枠ベース材１３０は、既設上枠１１０の長さに比べて十分に短い長さに形成された金属製の板状部材からなり、上枠ベース材１３０の裏面に設けられる取付け部材１３２によって、既設上枠１１０のガイドレール１１１ａ、１１１ｂを利用して取り付けられる。上枠ベース材１３０は、既設上枠１１０の長さ方向に間隔をおいて複数取り付けられる。これにより、各上枠ベース材１３０は、既設上枠１１０の内周側（下側）に、新設上枠１２０のための略平坦な取付け面を形成する。新設上枠１２０は、この上枠ベース材１３０の表面（下面）に対して取り付けられる。
【００２２】
下枠２００は、既設下枠２１０と、新設下枠２２０と、下枠ベース材２３０と、を含んで構成される。
【００２３】
既設下枠２１０は、建物の開口部の下側部に取り付けられており、上方に向けて立設される既設障子用のガイドレール２１１ａ、２１１ｂと、既設下枠２１０の屋外側の端部に、上下方向に延びる屋外側壁部２１２と、を有する。既設下枠２１０の屋内側は、額縁部材３に固定されている。
【００２４】
新設下枠２２０は、下枠ベース材２３０を挟んで、既設下枠２１０の内周側に取り付けられる。新設下枠２２０は、上方に向けて立設される引違いの２枚の障子２０、２０用のガイドレール２２１ａ、２２１ｂと、網戸３０用のガイドレール２２１ｃとを有する。ガイドレール２２１ａ、２２１ｂには、障子２０の下端部が係合している。ガイドレール２２１ｃには、網戸３０の下端部が係合している。
【００２５】
新設下枠２２０は、屋外側の端部に、下方に向けて延びる屋外側壁部２２２を有する。屋外側壁部２２２は、既設下枠２１０の屋外側壁部２１２と略平行に延びており、屋外側壁部２１２の屋外側を覆い隠すように配置されている。
【００２６】
新設下枠２２０は、取付けねじ２２３によって下枠ベース材２３０に固定される。取付けねじ２２３は、新設下枠２２０から下枠ベース材２３０を貫通しているが、既設下枠２１０は貫通していない。
【００２７】
下枠ベース材２３０は、既設下枠２１０の内周側に配置され、既設下枠２１０と新設下枠２２０との間に介在される。下枠ベース材２３０は、２枚の障子２０、２０の荷重を受けるため、下枠２００の長さ方向に亘って延びる金属製の板状部材からなる。下枠ベース材２３０の屋外側は、既設下枠２１０の屋外側のガイドレール２１１ａ上に載置され、屋内側は、ブラケット２３１によって既設下枠２１０の屋内側のガイドレール２１１ｂに取り付けられている。これにより、下枠ベース材２３０は、既設下枠２１０の内周側（上側）に、新設下枠２２０のための略平坦な取付け面を形成する。新設下枠２２０は、この下枠ベース材２３０の表面（上面）に対して取り付けられる。
【００２８】
図３、図６、図７に示すように、左右の縦枠３００、４００は、既設縦枠３１０、４１０と、新設縦枠３２０、４２０と、縦枠ベース材３３０、４３０と、を含んで構成される。
【００２９】
既設縦枠３１０、４１０は、建物の開口部２の屋外側の左右縦側部にそれぞれ取り付けられている。既設縦枠３１０、４１０は、図６、図７に示すように、内側に向けて突出する複数のフィン３１１ａ、３１１ｂ、４１１ａ、４１１ｂ、４１１ｃを有する。既設縦枠３１０、４１０の屋内側は、額縁部材３に固定されている。
【００３０】
新設縦枠３２０、４２０は、縦枠ベース材３３０、４３０を間に挟んで、既設縦枠３１０、４１０の内周側に取り付けられる。新設縦枠３２０、４２０は、屋外側の端部に、左右の外側方に向けて延びる屋外側壁部３２１、４２１を有する。屋外側壁部３２１、４２１は、既設縦枠３１０、４１０の屋外側を覆い隠すように配置されている。
【００３１】
新設縦枠３２０、４２０は、スペーサ部材３４０、４４０を介して、取付けねじ３２２、４２２によって縦枠ベース材３３０、４３０に固定される。取付けねじ３２２、４２２は、新設縦枠３２０、４２０からスペーサ部材３４０、４４０及び縦枠ベース材３３０、４３０を貫通しているが、既設縦枠３１０、４１０は貫通していない。
【００３２】
縦枠ベース材３３０、４３０は、既設縦枠３１０、４１０の内周側に配置され、既設縦枠３１０、４１０と新設縦枠３２０、４２０との間に介在される。縦枠ベース材３３０、４３０は、それぞれ新設縦枠３２０、４２０の長さに比べて十分に短い長さに形成された金属製の板状部材からなる。縦枠ベース材３３０、４３０は、既設縦枠３１０、４１０の長さ方向に間隔をおいて、既設縦枠３１０、４１０の内周側に複数取り付けられる。これにより、各縦枠ベース材３３０、４３０は、既設縦枠３１０、４１０の内周側に、新設縦枠３２０、４２０のための略平坦な取付け面を形成する。新設縦枠３２０、４２０は、この縦枠ベース材３３０、４３０の表面に対して取り付けられる。
【００３３】
縦枠ベース材３３０、４３０の取付け構造について、更に図８〜図１０を用いて説明する。図８は、一方の縦枠３００の既設縦枠３１０に縦枠ベース材３３０を取り付けた状態を示す拡大平面図であり、図９は、図８中のＡ−Ａ線に沿う断面図であり、図１０は、可動プレート３６０、４６０の平面図である。なお、図８〜図１０は、一方の縦枠３００側の縦枠ベース材３３０の取付け構造を示すが、他方の縦枠４００側の縦枠ベース材４３０の取付け構造も同一構造であるため、縦枠ベース材４３０の取付け構造については図中に括弧書きで符号を付している。
【００３４】
先ず、縦枠ベース材３３０、４３０の屋外側は、既設縦枠３１０、４１０に設けられた最も屋外側のフィン３１１ａ、４１１ａを利用して既設縦枠３１０、４１０に取り付けられる。即ち、縦枠ベース材３３０、４３０は、主として新設縦枠３２０、４２０の取付け面となるベース材本体３３１、４３１の屋外側の端部に、フィン３１１ａ、４１１ａを挟むように平行に立設される一対の取付け片３３２、４３２を一体に有する。
【００３５】
取付け片３３２、４３３の間には、フィン３１１ａ、４１１ａを挟んだ状態で、縦枠ベース材３３０、４３０の表面側から、フィン３１１ａ、４１１ａ及び取付け片３３２、４３２の立設方向に沿って取付けねじ３３３、４３３がねじ込まれている。これにより、取付け片３３２、４３２（本実施形態では一対の取付け片３３２、４３２の屋外側の取付け片の内面）と取付けねじ３３３、４３３との間でフィン３１１ａ、４１１ａが挟持され、縦枠ベース材３３０、４３０の屋外側が既設縦枠３１０、４１０に固定される。
【００３６】
一方、縦枠ベース材３３０、４３０の屋内側は、縦枠ベース材３３０、４３０とは別体の取付け部材３５０、４５０によって、既設縦枠３１０、４１０の内周面３１０ａ、４１０ａに固定されると共に、可動プレート３６０、４６０によって、額縁部材３（柱材３３、４３）に固定される。
【００３７】
取付け部材３５０、４５０は、既設縦枠３１０、４１０の内周面３１０ａ、４１０ａと縦枠ベース材３３０、４３０のベース材本体３３１、４３１とに亘って延びる脚部３５１、４５１と、脚部３５１、４５１の既設縦枠３１０、４１０側の端部から屋外側にＬ型に一体に張り出すように形成された第１固定片３５２、４５２と、脚部３５１、４５１のベース材本体３３１、４３１側の端部から屋外側にＬ型に一体に張り出すように形成された第２固定片３５３、４５３と、を有する。
【００３８】
脚部３５１、４５１は、図８に示すように、縦枠ベース材３３０、４３０の長さ方向（図８の左右方向）に沿って延びている。第１固定片３５２、４５２は、縦枠ベース材３３０、４３０の長さ方向の両端部からはみ出す長さを有するが、第２固定片３５３、４５３は、縦枠ベース材３３０、４３０の長さ方向とほぼ同じ長さであり、両端部からはみ出していない。
【００３９】
第１固定片３５２、４５２は、既設縦枠３１０、４１０の内周面３１０ａ、４１０ａに当接し、縦枠ベース材３３０、４３０の両端部からはみ出した部位において、取付けねじ３５４、４５４によって既設縦枠３１０、４１０に固定される。また、第２固定片３５３、４５３は、ベース材本体３３１、４３１の裏面に当接し、ベース材本体３３１、４３１に屋内外方向に長く形成された長穴３３４、４３４を通して、取付けねじ３５５、４５５によって固定される。
【００４０】
可動プレート３６０、４６０は、図８、図１０に示すように、額縁部材３の内周面３ａに対して取り付けられる躯体取付け部３６１、４６１と、躯体取付け部３６１、４６１の屋内側に一体に設けられる一対の挟持片３６２、４６２と、を有する平板状の金属板からなる。躯体取付け部３６１、４６１には、ねじ穴３６１ａ、４６１ａが設けられている。
【００４１】
一対の挟持片３６２、４６２は、躯体取付け部３６１、４６１の屋外側の端部から、既設縦枠３１０、４１０の長さ方向に沿って張り出すように延びている。一対の挟持片３６２、４６２の間隔は、取付け部材３５０、４５０の脚部３５１、４５１の厚みと略同一である。
【００４２】
図８に示すように、可動プレート３６０、４６０は、一対の挟持片３６２、４６２の間に取付け部材３５０、４５０の脚部３５１、４５１を挿入することにより、脚部３５１、４５１を屋内外方向から挟持する。これにより、可動プレート３６０、４６０は、取付け部材３５０、４５０に対して、既設縦枠３１０、４１０に接離する方向（図９における左右方向）に移動可能に係合するが、取付け部材３５０、４５０に対しては、屋内外方向（図９における上下方向）へ移動不能に係合する。
【００４３】
可動プレート３６０、４６０は、取付け部材３５０、４５０の脚部３５１、４５１を挟持片３６２、４６２で挟持した状態で、躯体取付け部３６１、４６１を額縁部材３の内周面３ａに対して、取付けねじ３７０、４７０によって固定される。これにより、取付け部材３５０、４５０は、既設縦枠３１０、４１０に対して屋内外方向へ移動不能とされる。
【００４４】
このように取り付けられる可動プレート３６０、４６０は、取付け部材３５０、４５０に対して、既設縦枠３１０、４１０に接離する方向に移動可能であるため、ベース材本体３３１、４３１と額縁部材３の内周面３ａとの間の離間距離に容易に対応可能である。従って、ベース材本体３３１、４３１と額縁部材３の内周面３ａとの間の離間距離に関わらずに、縦枠ベース材３３０、４３０を既設縦枠３１０、４１０に容易に取り付けることができる。しかも、可動プレート３６０、４６０は、一対の挟持片３６２、４６２によって、取付け部材３５０、４５０を屋内外方向から挟持するだけであるため、取り付け作業も楽に行える。
【００４５】
なお、図８では、１つの縦枠ベース材３３０、４３０に対して１つの可動プレート３６０、４６０を設けているが、可動プレート３６０、４６０は、縦枠ベース材３３０、４３０の両端部にそれぞれ設けられてもよい。
【００４６】
以上の構成を備える窓枠１０は、上枠１００、下枠２００及び左右の縦枠３００、４００により矩形に枠組みされる。これにより、改装サッシ１の新設枠（新設上枠１２０、新設下枠２２０及び新設縦枠３２０、４２０）は、各ベース材１３０、２３０、３３０、４３０を介して、既設枠（既設上枠１１０、既設下枠２１０及び既設縦枠３１０、４１０）の内周側を覆うように取り付けられる。
【００４７】
本実施形態では、開口部２の屋外側に配置される外付けタイプの窓枠１０を例示したが、本発明における窓枠は必ずしも外付けタイプに限定されない。
【符号の説明】
【００４８】
１  改装サッシ
２  開口部
３３、４３  柱材（建物の躯体）
３１０、４１０  既設縦枠
３２０、４２０  新設縦枠
３３０、４３０  縦枠ベース材
３３１、４３１  ベース材本体
３５０、４５０  取付け部材
３６０、４６０  可動プレート
３６２、４６２  挟持片
【図１】
2019152004.tif 000003
【図２】
2019152004.tif 000004
【図３】
2019152004.tif 000005
【図４】
2019152004.tif 000006
【図５】
2019152004.tif 000007
【図６】
2019152004.tif 000008
【図７】
2019152004.tif 000009
【図８】
2019152004.tif 000010
【図９】
2019152004.tif 000011
【図１０】
2019152004.tif 000012
【図１１】
2019152004.tif 000013